(57)【要約】    【課題】      ユーザの好みに応じて様々なネットワーク切り替えモードの選択ができる移動無線端末装置を提供すること。    【解決手段】  ネットワーク切替制御部１０４は、無線電力検出部１０３からの検知情報がセルラー無線ネットワーク及び公衆無線ＬＡＮネットワークのエリアに移動無線端末装置１００が属することを示す時には、特性比較部１０４１がセルラー無線ネットワーク及び公衆無線ＬＡＮネットワークの特性を比較する。比較の結果、接続中の通信ネットワークでない方が所定の特性を有する場合には、ネットワーク切替制御部１０４は、自動切り替えモードである時には、所定の特性を有する通信ネットワークに切り替え、ユーザに通知するモードである時には、切り替えを促すための通知情報をネットワーク切替表示部１０５に与えて表示する。  【選択図】      図１
2005039795.tif 000002
【特許請求の範囲】
【請求項１】
セルラー無線ネットワーク及び公衆無線ＬＡＮネットワークに接続可能な移動無線端末装置において、
前記セルラー無線ネットワーク及び前記公衆無線ＬＡＮネットワークの各々のエリア内に属しているか否かを一定周期ごとに検知して検知結果を生成するエリア検知手段と、
前記検知結果が前記セルラー無線ネットワーク及び前記公衆無線ＬＡＮネットワークのエリアに属していることを示している時には前記セルラー無線ネットワーク及び前記公衆無線ＬＡＮネットワークの特性を比較して比較結果を生成する特性比較手段と、
前記比較結果により所定の特性を有する前記セルラー無線ネットワーク及び前記公衆無線ＬＡＮネットワークのいずれかに切替る切替手段と、
前記比較結果により所定の特性を有する前記セルラー無線ネットワーク及び前記公衆無線ＬＡＮネットワークのいずれかに切替るか否かを判断させるための通知をする通知手段と、
前記通知に基づいて前記セルラー無線ネットワーク及び前記公衆無線ＬＡＮネットワークのいずれかを選択する選択手段と、を具備することを特徴とする移動無線端末装置。
【請求項２】
前記所定の特性は、帯域幅の広さ、通信コストの安さ、ネットワークの空き具合又はサービスアプリケーションの多さを含むことを特徴とする請求項１記載の移動無線端末装置。
【請求項３】
移動無線端末装置の移動速度を検知する移動速度検知手段を有し、
前記通知手段は、前記移動速度が閾値以上である時には通信ネットワークとして前記セルラー無線ネットワークの選択を促す通知をすることを特徴とする請求項１又は請求項２に記載の移動無線端末装置。
【請求項４】
移動無線端末装置の移動速度を検知する移動速度検知手段を有し、
前記切替手段は、前記移動速度が閾値以上である時には通信ネットワークとして優先的に前記セルラー無線ネットワークに切替ることを特徴とする請求項１又は請求項２に記載の移動無線端末装置。
【請求項５】
前記移動無線端末装置の状態を選択する状態選択手段を具備し、
前記状態選択手段は、前記切替手段を作動状態にするか否かを選択する第１の選択手段と、
前記切替手段を作動させない状態とする時には前記通知手段を作動状態にする否かを選択する第２の選択手段と、を具備することを特徴とする請求項１から請求項４のいずれかに記載の移動無線端末装置。
【請求項６】
前記通知手段は、表示部に通信ネットワークの切替を促す通知を表示することを特徴とする請求項１から請求項５のいずれかに記載の移動無線端末装置。
【請求項７】
前記通知手段は、音声により通信ネットワークの切替を促す通知をすることを特徴とする請求項１から請求項５のいずれかに記載の移動無線端末装置。
【発明の詳細な説明】
【技術分野】
【０００１】
本発明は、セルラー無線ネットワーク及び公衆無線ＬＡＮネットワークに接続可能な移動無線端末装置に関する。
【背景技術】
【０００２】
現在、実用化されている無線通信システムは、大きく２つのグループに大別することができる。１つはＰＨＳ、ＧＳＭ、ＰＤＣ及びＩＭＴ２０００に代表されるセルラー無線システムであり、もう一つはＩＥＥＥ８０２．１１a/b及びＨＹＰＥＲＬＡＮ２に代表される無線ローカルネットワーク(無線ＬＡＮ)システムである。セルラー無線システムは、広範囲に渡って利用可能であり、音声通信システムとしては有力なシステムである。一方、無線ローカルエリアネットワークシステムは、エリアは狭いものの、伝送容量がＩＥＥＥ８０２．１１bでは最大１１Ｍｂｐｓ、ＩＥＥＥ８０２．１１a及びＨＹＰＥＲＬＡＮ２では最大５４Ｍｂｐｓと大容量伝送が実現できる。
【０００３】
今後、上記のセルラー無線システムや無線ＬＡＮシステムに代表される異なった複数の無線ネットワークが統合（以下、統合ネットワークという。）され、お互いのエリア間をシームレスに移動してサービスを受けることができる無線ネットワークが構築されることが予想される。
【０００４】
このような統合ネットワークでは、移動無線端末装置が移動して異なる無線ネットワークのエリアに入った場合に、より広帯域なサービスが受けられるネットワークに切替ること、ユーザ要求に応じて通信するネットワークを切替ること、大容量サービスを受けること及び通信費の安いネットワークを選択することなどのユーザの好み又は移動速度などのユーザの環境に応じて、通信を行うネットワークを切替ることが望まれる。この通信ネットワークの切替においては、移動無線端末装置が移動中に自動的に行ったり、ユーザの選択のもとに行ったり、又は、例えば移動速度などユーザの状況によってはあえてネットワークの切替を行わないなど、様々な切替モードをサポートすることが望まれる。
【０００５】
このような統合ネットワークにおける従来の移動無線端末装置が特許文献１に示されている。従来の移動無線端末装置は、複数の無線通信手段と、各々異なる処理を実行する複数のアプリケーションソフトウェアを実行するデータ処理手段と、データ処理手段で実行されたアプリケーションソフトウェアを検知して無線通信手段ごとの優先度情報を発生する。制御手段は複数の無線通信手段の通信可否情報と優先度情報とに応じて切換信号を発生し、これにより複数の無線通信手段から一つを動作可能にする。実行されるアプリケーションの特徴情報、無線通信機能の特徴情報、通信料金に関する情報から自動的に無線通信機能を切替ることができる。
【特許文献１】特開平１０−３２７４６３号公報
【発明の開示】
【発明が解決しようとする課題】
【０００６】
しかしながら、従来の移動無線端末装置は、実行されるアプリケーションの特徴情報、無線通信機能の特徴情報及び通信料金に関する情報から固定的に無線通信機能を自動で切替るものであるため、ユーザがあえて１つの無線ネットワークを選択したい場合でも自動で切替られるなど、ユーザの選択に応じる柔軟性に欠ける問題があった。また、セルラー無線ネットワークは広域で利用できるのに対し無線ＬＡＮネットワークはそのエリアが狭いため、移動無線端末装置が高速で移動する時には通信ネットワークの頻繁な切替を要し、ユーザの選択に応じる柔軟性にさらに欠ける問題があった。
【０００７】
本発明は、かかる点に鑑みてなされたものであり、異なる複数の無線ネットワークに接続可能な移動無線端末装置であって、ユーザの好みに応じて様々なネットワーク切替モードの選択ができる移動無線端末装置を提供することを目的とする。
【課題を解決するための手段】
【０００８】
請求項１に係る移動無線端末装置は、セルラー無線ネットワーク及び公衆無線ＬＡＮネットワークに接続可能な移動無線端末装置において、前記セルラー無線ネットワーク及び前記公衆無線ＬＡＮネットワークの各々のエリア内に属しているか否かを一定周期ごとに検知して検知結果を生成するエリア検知手段と、前記検知結果が前記セルラー無線ネットワーク及び前記公衆無線ＬＡＮネットワークのエリアに属していることを示している時には前記セルラー無線ネットワーク及び前記公衆無線ＬＡＮネットワークの特性を比較して比較結果を生成する特性比較手段と、前記比較結果により所定の特性を有する前記セルラー無線ネットワーク及び前記公衆無線ＬＡＮネットワークのいずれかに切替る切替手段と、前記比較結果により所定の特性を有する前記セルラー無線ネットワーク及び前記公衆無線ＬＡＮネットワークのいずれかに切替るか否かを判断させるための通知をする通知手段と、前記通知に基づいて前記セルラー無線ネットワーク及び前記公衆無線ＬＡＮネットワークのいずれかを選択する選択手段と、を具備する構成を採る。
【０００９】
この構成によれば、ユーザの好みに応じて通信ネットワークの柔軟な選択をすることができる。
【００１０】
請求項２に係る移動無線端末装置は、請求項１記載の移動無線端末装置において、前記所定の特性は、帯域幅の広さ、通信コストの安さ、ネットワークの空き具合又はサービスアプリケーションの多さを含む構成を採る。
【００１１】
この構成によれば、請求項１に係る発明の効果と同様に、ユーザの好みに応じて通信ネットワークの柔軟な選択をすることができる。
【００１２】
請求項３に係る移動無線端末装置は、請求項１又は請求項２に記載の移動無線端末装置において、移動無線端末装置の移動速度を検知する移動速度検知手段を有し、前記通知手段は、前記移動速度が閾値以上である時には通信ネットワークとして前記セルラー無線ネットワークの選択を促す通知をする構成を採る。
【００１３】
この構成によれば、請求項１又は請求項２に係る発明の効果に加えて、速度自動切替モードを選択し移動無線端末装置の移動速度に応じて通信ネットワークの切替を制御することにより、通信ネットワークの頻繁な切替を防止することができる。
【００１４】
請求項４に係る移動無線端末装置は、請求項１又は請求項２に記載の移動無線端末装置において、移動無線端末装置の移動速度を検知する移動速度検知手段を有し、前記切替手段は、前記移動速度が閾値以上である時には通信ネットワークとして優先的に前記セルラー無線ネットワークに切替る構成を採る。
【００１５】
この構成によれば、請求項１又は請求項２に係る発明の効果に加えて、速度自動切替モードを選択し移動無線端末装置の移動速度に応じて通信ネットワークの切替を制御することにより、通信ネットワークの頻繁な切替を防止することができる。
【００１６】
請求項５に係る移動無線端末装置は、請求項１から請求項４のいずれかに記載の移動無線端末装置において、状態を選択する状態選択手段を具備し、前記状態選択手段は、前記切替手段を作動状態にするか否かを選択する第１の選択手段と、前記切替手段を作動させない状態とする時には前記通知手段を作動状態にする否かを選択する第２の選択手段と、を具備する構成を採る。
【００１７】
この構成によれば、請求項１から請求項４のいずれかに係る発明の効果に加えて、様々なネットワーク切替モードの選択ができ、ユーザの好みに応じて通信ネットワークの柔軟な選択をすることができる。
【００１８】
請求項６に係る移動無線端末装置は、請求項１から請求項５のいずれかに記載の移動無線端末装置において、前記通知手段は、表示部に通信ネットワークの切替を促す通知を表示する構成を採る。
【００１９】
この構成によれば、請求項１から請求項５のいずれかに係る発明の効果に加えて、通信ネットワークを切替るか否かをユーザに選択させるための通知を適切に行うことができる。
【００２０】
請求項７に係る移動無線端末装置は、請求項１から請求項５のいずれかに記載の移動無線端末装置において、前記通知手段は、音声により通信ネットワークの切替を促す通知をする構成を採る。
【００２１】
この構成によれば、請求項１から請求項５のいずれかに係る発明の効果に加えて、通信ネットワークを切替るか否かをユーザに選択させるための通知を適切に行うことができる。
【発明の効果】
【００２２】
以上説明したように、本発明によれば、異なる複数の無線ネットワークに接続可能な移動無線端末装置が様々なネットワーク切替モードを備えることにより、ユーザの好みに応じて通信ネットワークの柔軟な選択をすることができる。
【発明を実施するための最良の形態】
【００２３】
本発明の骨子は、異なる複数の無線ネットワークに接続可能な移動無線端末装置において、様々なネットワーク切替モードを選択できることである。
【００２４】
以下、本発明の実施の形態について、図面を参照して詳細に説明する。
【００２５】
（実施の形態１）
実施の形態１に係る移動無線端末装置１００について、図１を用いて説明する。
【００２６】
移動無線端末装置１００は、セルラー無線インターフェース１０１、公衆無線ＬＡＮインターフェース１０２、無線電力検出部１０３、ネットワーク切替制御部１０４、ネットワーク切替表示部１０５、ユーザ選択部１０６、スイッチ部１０７、データ信号処理部１０８及び状態選択部１０９を備える。無線電力検出部１０３は、エリア検知部１０３１を有する。ネットワーク切替制御部１０４は、特性比較部１０４１を有する。
【００２７】
セルラー無線インターフェース１０１及び公衆無線ＬＡＮインターフェース１０２は、セルラー無線ネットワーク及び公衆無線ＬＡＮネットワークにおける無線電波の送受信を行うほか、送信信号の変調及び受信信号の復調などを行うと共に受信電波強度を無線電力検出部１０３に与える。無線電力検出部１０３は、セルラー無線インターフェース１０１及び公衆無線ＬＡＮインターフェース１０２から受信電波強度を受け取り、エリア検知部１０３１が受信電波強度から各通信ネットワークのエリアであるかどうかを検知して検知情報を生成する。ネットワーク切替制御部１０４は、無線電力検出部１０３から検知情報を受け取って、その検知情報がセルラー無線ネットワーク及び公衆無線ＬＡＮネットワークのエリアに移動無線端末装置１００が属していることを示している時には、特性比較部１０４１がセルラー無線ネットワーク及び公衆無線ＬＡＮネットワークの特性を比較する。
【００２８】
その比較の結果、現在接続中の通信ネットワークでない方が後述する「所定の特性」を有している場合には、ネットワーク切替制御部１０４は、後述する選択モードが通信ネットワークを自動的に切替るモードである時には、「所定の特性」を有する通信ネットワークに切替る。また、選択モードがユーザに通知するモードである時には、ネットワーク切替制御部１０４は、ユーザに対して通信ネットワークの切替を促すための通知情報をネットワーク切替表示部１０５に与える。
【００２９】
ネットワーク切替表示部１０５は、ネットワーク切替制御部１０４から受け取る通知情報を表示する。これにより、ユーザは通信ネットワークを切替るべきかの判断を行う機会が与えられる。ユーザがユーザ選択部１０６を用いてセルラー無線ネットワーク及び公衆無線ＬＡＮネットワークのいずれかを選択すると、ユーザ選択部１０６からネットワーク切替制御部１０４に選択情報が与えられる。ネットワーク切替制御部１０４は、その選択情報が示す通信ネットワークに切替る。スイッチ部１０７は、ネットワーク側から送られてくるデータ及び移動無線端末装置で生成したデータのパスを切替る。
【００３０】
データ信号処理部１０８は、スイッチ部１０７を介してネットワーク側から送られてくるデータやネットワーク側へ送るデータの処理を行う。状態選択部１０９は、移動無線端末装置１００のモードを選択するものであり、ネットワーク切替制御部１０４を作動させて自動的に通信ネットワークを切替るモード（自動切替モード）、ネットワーク切替制御部１０４を作動させてユーザに切替を促す通知をするモード（通知モード）及びネットワーク切替制御部１０４を作動させないモード（切替なしモード）から１つのモードを選択できる。
【００３１】
このような移動無線端末装置が通信を行うセルラー無線ネットワークと公衆無線ＬＡＮネットワークが統合された統合ネットワーク２００の一例を図２に示す。
【００３２】
統合ネットワーク２００は、移動無線端末装置１００と、セルラー無線ネットワーク２０３と、公衆無線ＬＡＮネットワーク２０４と、インターネット網２０５と、公衆電話網２０６と、から構成される。図２では、セルラー無線ネットワーク２０３と接続可能な地域をセルラー無線エリア２０１とし、公衆無線ＬＡＮネットワーク２０４と接続可能な地域を公衆無線ＬＡＮエリア２０２として示されている。
【００３３】
セルラー無線ネットワーク２０３と公衆無線ＬＡＮネットワーク２０４が異種ネットワーク交換装置２０７で結合されており、移動無線端末装置１００は移動に伴い、セルラー無線ネットワーク２０３から公衆無線ＬＡＮネットワーク２０４、および公衆無線ＬＡＮネットワーク２０４からセルラー無線ネットワーク２０３への切替をシームレスに行うことができる。
【００３４】
また、インターネット網２０５は、セルラー無線ネットワーク２０３、公衆無線ＬＡＮネットワーク２０４及び公衆電話網２０６と接続されている。公衆電話網２０６は、セルラー無線ネットワーク２０３及びインターネット網２０５と接続されている。
【００３５】
図３は、移動無線端末装置１００のイメージ図を示したものである。移動通信端末装置１００は、表示部３０１、スピーカ３０２、マイク３０３、セルラー無線ネットワークの電波状況表示３０４、公衆無線ＬＡＮネットワークの電波状況表示３０５、状態選択ボタン３０６、ネットワーク選択ボタン３０７及びネットワーク切替を促すための通知表示３０８を有する。
【００３６】
ユーザは、状態選択ボタン３０６により、３つのモードを選択する。ユーザが通知モードを選択している場合に、セルラー無線エリア及び公衆無線ＬＡＮネットワークエリアに移動無線端末装置１００が属している時には、ネットワーク切替を促すための通知表示３０８が表示部３０１に表示される。なお、表示部３０１は、表示装置であればよく、液晶ディスプレイ、有機ＥＬディスプレイなどを含むものである。また、このネットワーク切替を促すための通知は、スピーカ３０２から音声により行う構成としてもよい。さらに、移動無線端末装置１００は、このネットワーク切替を促すための通知を振動や光により行う構成としてもよい。
【００３７】
次に図２に示した統合ネットワーク上を移動無線端末装置１００が移動した時の動作について具体的に説明する。ここでは、特に自動切替モードが、状態選択部１０９により選択されている場合について説明する。
【００３８】
移動無線端末装置１００がセルラー無線エリア２０１にのみ属している時には、無線電力検出部１０３はセルラー無線インターフェース１０１からのみ受信電波電力を受け取り、エリア検知部１０３１が生成するセルラー無線エリア２０１にのみ属しているという検知情報をネットワーク切替制御部１０４に与える。ネットワーク切替制御部１０４は、その検知情報に基づいてスイッチ部１０７を制御して、データのパスをセルラー無線インターフェース１０１側へ切替る。
【００３９】
移動無線端末装置１００がセルラー無線エリア２０１及び公衆無線ＬＡＮエリア２０２に属することになると、無線電力検出部１０３はセルラー無線インターフェース１０１及び公衆無線ＬＡＮインターフェース１０２から受信電波電力を受け取り、エリア検知部１０３１が生成する公衆無線ＬＡＮエリア２０２及びセルラー無線エリア２０１に属しているという検知情報をネットワーク切替制御部１０４に与える。ネットワーク切替制御部１０４の具備する特性比較部１０４１は、公衆無線ＬＡＮエリア２０２及びセルラー無線エリア２０１に属しているという検知情報を受け取ると、公衆無線ＬＡＮエリア２０２及びセルラー無線エリア２０１の特性を比較して比較結果を生成する。
【００４０】
ネットワーク切替制御部１０４は、「所定の条件」を満たした時、すなわち、特性比較部１０４１が生成した比較結果が、現在接続中の通信ネットワークでない方（ここでは、公衆無線ＬＡＮネットワーク）が「所定の特性」を有していることを示している時には、ネットワークの切替手続きをネットワーク側に指示するための情報をデータ信号処理部１０８からセルラー無線インターフェース１０１を介してネットワーク側へ送るように制御する。さらに、ネットワーク切替制御部１０４は、スイッチ部１０７を制御して、データのパスを公衆無線ＬＡＮインターフェース１０２側へ切替る。なお、通知モードが選択されている場合には、ネットワーク切替制御部１０４は、ユーザに対して通信ネットワークの切替を促すための通知情報をネットワーク切替表示部１０５に与える。
【００４１】
ここで、上記の特性比較部１０４１は、具体的には次の（１）電波環境、（２）通信コスト、（３）帯域幅、（４）実行帯域幅、及び（５）アプリケーション又はデータの種類の項目について、公衆無線ＬＡＮエリア２０２及びセルラー無線エリア２０１の特性を比較する。
【００４２】
（１）電波環境
特性比較部１０４１は、無線電力検出部１０３より２つの受信電波電力値、すなわち、セルラー無線インターフェース１０１における受信電波電力値及び公衆無線ＬＡＮインターフェース１０２における受信電波電力値を受け取る。そして、特性比較部１０４１は、セルラー無線インターフェース１０１及び公衆無線ＬＡＮインターフェース１０２における受信電波電力値を比較して比較結果を生成する。
【００４３】
そして、ネットワーク切替制御部１０４は、上記「所定の条件」を満たした時には、上記と同様に、ネットワークの切替手続きをネットワーク側に指示するための情報をデータ信号処理部１０８からセルラー無線インターフェース１０１を介してネットワーク側へ送るように制御する。なお、この場合の「所定の特性」とは、受信電波電力値が大きい、すなわち、電波環境が良いことである。
【００４４】
（２）通信コスト
特性比較部１０４１は、セルラー無線ネットワーク２０３及び公衆無線ＬＡＮネットワーク２０４の各々における単位時間あたりの通信費を比較して比較結果を生成する。
【００４５】
そして、ネットワーク切替制御部１０４は、上記「所定の条件」を満たした時には、上記と同様の制御を行う。この場合の「所定の特性」とは、単位時間あたりの通信費が安いことである。
【００４６】
（３）帯域幅
特性比較部１０４１は、セルラー無線ネットワーク２０３及び公衆無線ＬＡＮネットワーク２０４の各々における帯域幅を比較して比較結果を生成する。
【００４７】
そして、ネットワーク切替制御部１０４は、上記「所定の条件」を満たした時には、上記と同様の制御を行う。この場合の「所定の特性」とは、帯域幅が広いことである。
【００４８】
（４）実行帯域幅
特性比較部１０４１は、セルラー無線ネットワーク２０３及び公衆無線ＬＡＮネットワーク２０４の各々における実効帯域幅（実効レート）を比較して比較結果を生成する。
【００４９】
そして、ネットワーク切替制御部１０４は、上記「所定の条件」を満たした時には、上記と同様の制御を行う。この場合の「所定の特性」とは、実効帯域幅が広いことである。
【００５０】
なお、この場合、移動無線端末装置１００においては、自機が通信を行うセルラー無線ネットワーク２０３の基地局装置及び公衆無線ＬＡＮネットワーク２０４の基地局装置が送信する実効帯域幅に関する情報を、移動無線端末装置１００が備える実効帯域幅情報取得部（図示せず）が、セルラー無線インターフェース１０１及び公衆無線ＬＡＮインターフェース１０２を介して取得してネットワーク切替制御部１０４に与える。そして、特性比較部１０４１は、上記のとおり、セルラー無線ネットワーク２０３及び公衆無線ＬＡＮネットワーク２０４の各々における実効帯域幅を比較して比較結果を生成する。
【００５１】
（５）アプリケーション又はデータの種類
特性比較部１０４１は、データ信号処理部１０８において作動しているアプリケーションの種類又はデータ信号処理部１０８において処理しているデータの種類に関する情報を、データ信号処理部１０８から取得する。そして、特性比較部１０４１は、データ信号処理部１０８において処理しているデータの種類が音声データであるときには、回線品質を比較して比較結果を生成する。
【００５２】
そして、ネットワーク切替制御部１０４は、上記「所定の条件」を満たした時には、上記と同様の制御を行う。この場合の「所定の特性」とは、回線品質が良いことである。通常はセルラー無線ネットワークの方が公衆無線ＬＡＮネットワークより回線品質が良いので、現在接続中の通信ネットワークがセルラー無線ネットワーク２０３ときには、ネットワーク切替制御部１０４は、特別の動作は伴わない。
【００５３】
また、特性比較部１０４１は、データ信号処理部１０８において作動しているアプリケーションがインターネット接続に関するものであるときには、送受信可能なデータ容量を比較して比較結果を生成する。
【００５４】
そして、ネットワーク切替制御部１０４は、上記「所定の条件」を満たした時には、上記と同様の制御を行う。この場合の「所定の特性」とは、送受信可能なデータ容量が大きいことである。通常は公衆無線ＬＡＮネットワークの方がセルラー無線ネットワークより送受信可能なデータ容量が大きいので、現在接続中の通信ネットワークがセルラー無線ネットワーク２０３ときには、ネットワーク切替制御部１０４は、ネットワークの切替手続きをネットワーク側に指示するための情報をデータ信号処理部１０８からセルラー無線インターフェース１０１を介してネットワーク側へ送るように制御する。
【００５５】
なお、上記５つの特性に関する項目のうち、どの項目によりネットワーク切替制御部１０４及び特性比較部１０４１を作動させるかを予め設定しておく必要がある。
【００５６】
以上のように、本発明の実施の形態１によれば、移動無線端末装置１００は、自動切替モード、通知モード及び切替なしモードという３つの切替モードを有し、かつ、この切替モードをユーザの好みや状況に応じて変更できる機能を有することで、ユーザの好みや状況に応じて様々な通信形態及びサービスの享受形態を柔軟にサポートすることができる。
【００５７】
（実施の形態２）
実施の形態２に係る移動無線端末装置４００について、図４を用いて説明する。ここで、実施の形態１に係る移動無線端末装置と同じ構成要素には同じ符号が付されその説明が省略される。
【００５８】
移動無線端末装置４００は、ネットワーク切替制御部４０１、状態選択部４０２、移動速度検出部４０３、セルラー無線インターフェース１０１、公衆無線ＬＡＮインターフェース１０２、無線電力検出部１０３、ネットワーク切替表示部１０５、ユーザ選択部１０６、スイッチ１０７及びデータ信号処理部１０８を備える。ネットワーク切替制御部４０１は、速度比較部４０１１及び特性比較部４０１２を有する。
【００５９】
移動速度検出部４０３は、移動無線端末装置４００の移動速度を検出して移動速度情報を生成する。その方法としては、例えば、移動速度検出部４０３がＧＰＳ（Global Positioning System）受信装置を備え、一定時間毎に移動無線端末装置４００の位置情報を取得して、その位置情報から一定時間内に移動した距離を計算し、その距離を一定時間で除算して速度を求める。ネットワーク切替制御部４０１は、移動速度検出部４０３から移動通信端末装置４００の移動速度情報を受け取り、速度比較部４０１１が予め定められた閾値と比較する。その比較の結果、移動速度が閾値以上である時には、ネットワーク切替制御部４０１は、スイッチ部１０７を制御して、データのパスを優先的にセルラー無線インターフェース１０１側へ切替る。
【００６０】
一方、比較の結果、移動速度が閾値未満である時には、特性比較部４０１２は、セルラー無線ネットワーク及び公衆無線ＬＡＮネットワークの特性を比較する。特性を比較した結果、現在接続中の通信ネットワークでない方が「所定の特性」を有している場合であって、後述する選択モードが速度自動切替モードである時には、ネットワーク切替制御部４０１は、「所定の特性」を有する通信ネットワークに切替る。状態選択部４０２は、移動無線端末装置４００のモードを選択するものであり、移動速度が閾値以上である時には通信ネットワークをセルラー無線ネットワークに優先的に切替るモード（速度自動切替モード）、ユーザに切替を促す通知をするモード（通知モード）又はネットワーク切替制御部４０１を作動させないモード（切替なしモード）から１つのモードを選択できる。
【００６１】
このような構成を採るのは、次の理由によるものである。例えば、移動無線端末装置の移動速度が速い場合に、セルラー無線ネットワークを介して通信を行っている状態で無線ＬＡＮネットワークエリアに入った時には、通信ネットワークを切替たとしても無線ＬＡＮネットワークはエリアの直径が数十メートルから３００メートルと狭いため直ぐにエリアから出てしまい、もとのセルラー無線ネットワークに戻すことになるので、無線ＬＡＮネットワークへ通信ネットワークを切替るメリットが少ない。移動速度が歩行程度のように遅い場合は、無線ＬＡＮエリアから出るためにある程度の時間を要するため、無線ＬＡＮネットワークに通信ネットワークを切替るメリット（例えば、高速データ通信が可能）が多い。
【００６２】
次に図２に示した統合ネットワーク上を移動無線端末装置４００が移動した時の動作について具体的に説明する。ここでは、特に速度自動切替モードが、状態選択部４０２により選択されている場合について説明する。
【００６３】
移動無線端末装置４００がセルラー無線エリア２０１にのみ属している時には、無線電力検出部１０３はセルラー無線インターフェース１０１からのみ受信電波電力を受け取り、エリア検知部１０３１が生成するセルラー無線エリア２０１にのみ属しているという検知情報をネットワーク切替制御部４０１に与える。ネットワーク切替制御部４０１は、その検知情報に基づいてスイッチ部１０７を制御して、データのパスをセルラー無線インターフェース１０１側へ切替る。なお、セルラー無線エリア２０１にのみ属している時には、移動速度が閾値以上であるか否かにかかわらず、上記動作をする。
【００６４】
移動無線端末装置４００がセルラー無線エリア２０１及び公衆無線ＬＡＮエリア２０２に属することになると、無線電力検出部１０３はセルラー無線インターフェース１０１及び公衆無線ＬＡＮインターフェース１０２から受信電波電力を受け取り、エリア検知部１０３１が生成する公衆無線ＬＡＮエリア２０２及びセルラー無線エリア２０１に属しているという検知情報をネットワーク切替制御部４０１に与える。そうすると、ネットワーク切替制御部４０１は、移動速度検出部４０３から移動通信端末装置４００の移動速度情報を受け取り、速度比較部４０１１が予め定められた閾値と比較する。
【００６５】
その比較の結果、移動速度が閾値以上である時には、ネットワーク切替制御部４０１は、スイッチ部１０７を制御して、データのパスを優先的にセルラー無線インターフェース１０１側へ切替る。この場合には、もともとデータのパスはセルラー無線インターフェース１０１側へ切替られているので、特別の動作は伴わない。
【００６６】
一方、比較の結果、移動速度が閾値未満である時には、特性比較部４０１２は、セルラー無線ネットワーク２０３及び公衆無線ＬＡＮネットワーク２０４の特性を比較する。ネットワーク切替制御部４０１は、「所定の条件」を満たす場合、すなわち、特性を比較した結果、現在接続中の通信ネットワークでない公衆無線ＬＡＮネットワーク２０４の方が「所定の特性」を有している場合には、公衆無線ＬＡＮネットワーク２０４に切替る。ただし、公衆無線ＬＡＮエリア２０２に属している間であっても、一定時間後の移動無線端末装置４００の移動速度が閾値以上である時には、ネットワーク切替制御部４０１は、スイッチ部１０７を制御して、データのパスを優先的にセルラー無線インターフェース１０１側へ切替る。
【００６７】
ここで、実施の形態１と同様に、上記の特性比較部４０１２は、具体的には次の（１）電波環境、（２）通信コスト、（３）帯域幅、（４）実行帯域幅、及び（５）アプリケーション又はデータの種類の項目について、公衆無線ＬＡＮエリア２０２及びセルラー無線エリア２０１の特性を比較する。
【００６８】
（１）電波環境
特性比較部４０１２は、無線電力検出部１０３より２つの受信電波電力値、すなわち、セルラー無線インターフェース１０１における受信電波電力値及び公衆無線ＬＡＮインターフェース１０２における受信電波電力値を受け取る。そして、特性比較部４０１２は、セルラー無線インターフェース１０１及び無線ＬＡＮインターフェース１０２における受信電波電力値を比較して比較結果を生成する。
【００６９】
そして、ネットワーク切替制御部４０１は、上記「所定の条件」を満たした時には、上記と同様に、ネットワークの切替手続きをネットワーク側に指示するための情報をデータ信号処理部１０８からセルラー無線インターフェース１０１を介してネットワーク側へ送るように制御する。なお、この場合の「所定の特性」とは、受信電波電力値が大きい、すなわち、電波環境が良いことである。
【００７０】
（２）通信コスト
特性比較部４０１２は、セルラー無線ネットワーク２０３及び公衆無線ＬＡＮネットワーク２０４の各々における単位時間あたりの通信費を比較して比較結果を生成する。
【００７１】
そして、ネットワーク切替制御部４０１は、上記「所定の条件」を満たした時には、上記と同様の制御を行う。この場合の「所定の特性」とは、単位時間あたりの通信費が安いことである。
【００７２】
（３）帯域幅
特性比較部４０１２は、セルラー無線ネットワーク２０３及び公衆無線ＬＡＮネットワーク２０４の各々における帯域幅を比較して比較結果を生成する。
【００７３】
そして、ネットワーク切替制御部４０１は、上記「所定の条件」を満たした時には、上記と同様の制御を行う。この場合の「所定の特性」とは、帯域幅が広いことである。
【００７４】
（４）実行帯域幅
特性比較部４０１２は、セルラー無線ネットワーク２０３及び公衆無線ＬＡＮネットワーク２０４の各々における実効帯域幅（実効レート）を比較して比較結果を生成する。
【００７５】
そして、ネットワーク切替制御部４０１は、上記「所定の条件」を満たした時には、上記と同様の制御を行う。この場合の「所定の特性」とは、実効帯域幅が広いことである。
【００７６】
なお、この場合、移動無線端末装置１００においては、自機が通信を行うセルラー無線ネットワーク２０３の基地局装置及び公衆無線ＬＡＮネットワーク２０４の基地局装置が送信する実効帯域幅に関する情報を、移動無線端末装置１００が備える実効帯域幅情報取得部（図示せず）が、セルラー無線インターフェース１０１及び公衆無線ＬＡＮインターフェース１０２を介して取得してネットワーク切替制御部４０１に与える。そして、特性比較部４０１２は、上記のとおり、セルラー無線ネットワーク２０３及び公衆無線ＬＡＮネットワーク２０４の各々における実効帯域幅を比較して比較結果を生成する。
【００７７】
（５）アプリケーション又はデータの種類
特性比較部４０１２は、データ信号処理部１０８において作動しているアプリケーションの種類又はデータ信号処理部１０８において処理しているデータの種類に関する情報を、データ信号処理部１０８から取得する。そして、特性比較部４０１２は、データ信号処理部１０８において処理しているデータの種類が音声データであるときには、回線品質を比較して比較結果を生成する。
【００７８】
そして、ネットワーク切替制御部４０１は、上記「所定の条件」を満たした時には、上記と同様の制御を行う。この場合の「所定の特性」とは、回線品質が良いことである。通常はセルラー無線ネットワークの方が公衆無線ＬＡＮネットワークより回線品質が良いので、現在接続中の通信ネットワークがセルラー無線ネットワーク２０３ときには、ネットワーク切替制御部４０１は、特別の動作は伴わない。
【００７９】
また、特性比較部４０１２は、データ信号処理部１０８において作動しているアプリケーションがインターネット接続に関するものであるときには、送受信可能なデータ容量を比較して比較結果を生成する。
【００８０】
そして、ネットワーク切替制御部４０１は、上記「所定の条件」を満たした時には、上記と同様の制御を行う。この場合の「所定の特性」とは、送受信可能なデータ容量が大きいことである。通常は公衆無線ＬＡＮネットワークの方がセルラー無線ネットワークより送受信可能なデータ容量が大きいので、現在接続中の通信ネットワークがセルラー無線ネットワーク２０３ときには、ネットワーク切替制御部４０１は、ネットワークの切替手続きをネットワーク側に指示するための情報をデータ信号処理部１０８からセルラー無線インターフェース１０１を介してネットワーク側へ送るように制御する。
【００８１】
なお、上記５つの特性に関する項目のうち、どの項目によりネットワーク切替制御部４０１及び特性比較部４０１２を作動させるかを予め設定しておく必要がある。
【００８２】
なお、移動無線端末装置４００のモードが、通知モードである場合には、上記ネットワーク切替制御部４０１が自動的に切替る時、具体的には移動速度が閾値以上である時、及び、移動速度が閾値未満である時であってセルラー無線ネットワーク２０３及び公衆無線ＬＡＮネットワーク２０４の特性を比較した結果、現在接続中の通信ネットワークでない公衆無線ＬＡＮネットワーク２０４の方が所定の特性を有している時には、自動的に通信ネットワークをきりかえるのではなく、ユーザに対してネットワークの切替を促す通知をする。
【００８３】
以上のように、本発明の実施の形態２によれば、移動無線端末装置４００は、速度自動切替モード、通知モード及び切替なしモードという３つの切替モードを有し、かつ、この切替モードをユーザの好みや状況に応じて選択できる機能を有することで、ユーザの好みや状況に応じて様々な通信形態及びサービスの享受形態を柔軟にサポートすることができる。また、速度自動切替モードを選択し移動無線端末装置の移動速度に応じて通信ネットワークの切替を制御することにより、通信ネットワークの頻繁な切替を防止することができる。
【００８４】
（実施の形態３）
実施の形態３に係る移動無線端末装置５００について、図５を用いて説明する。ここで、実施の形態１及び実施の形態２に係る移動無線端末装置と同じ構成要素には同じ符号が付されその説明が省略される。
【００８５】
移動無線端末装置５００は、ネットワーク切替制御部５０１、状態選択部５０２、セルラー無線インターフェース１０１、公衆無線ＬＡＮインターフェース１０２、無線電力検出部１０３、ネットワーク切替表示部１０５、ユーザ選択部１０６、スイッチ部１０７、データ信号処理部１０８及び移動速度検出部４０３を備える。無線電力検出部１０３は、エリア検知部１０３１を有する。ネットワーク切替制御部５０１は、特性比較部１０４１、速度比較部４０１１及び特性比較部４０１２を有する。すなわち、移動無線端末装置５００は、実施の形態１の移動無線端末装置１００と実施の形態２の移動無線端末装置４００とを組み合わせた構成を採っている。
【００８６】
ネットワーク切替制御部５０１は、ネットワーク切替制御部１０４及びネットワーク切替制御部４０１の機能を合わせ持っている。状態選択部５０２は、自動的に通信ネットワークを切替るモード（自動切替モード）、移動速度が閾値以上である時には通信ネットワークをセルラー無線ネットワークに優先的に切替るモード（速度自動切替モード）、ユーザに切替を促す通知をするモード（通知モード）及びネットワーク切替制御部５０１を作動させないモード（切替なしモード）から１つのモードを選択できる。
【００８７】
以上のように、本発明の実施の形態３によれば、移動無線端末装置５００は、自動切替モード、速度自動切替モード、通知モード及び切替なしモードという４つの切替モードを有し、かつ、この切替モードをユーザの好みや状況に応じて選択できる機能を有することで、ユーザの好みや状況に応じて様々な通信形態及びサービスの享受形態を柔軟にサポートすることができる。また、速度自動切替モードを選択し移動無線端末装置の移動速度に応じて通信ネットワークの切替を制御することにより、通信ネットワークの頻繁な切替を防止することができる。
【産業上の利用可能性】
【００８８】
異なる複数の無線ネットワークに接続可能な移動無線端末装置であって、ユーザの好みに応じて様々なネットワーク切替モードの選択ができる移動無線端末装置として有用である。
【図面の簡単な説明】
【００８９】
【図１】本発明の実施の形態１に係る移動無線端末装置の構成を示すブロック図
【図２】統合ネットワークの一例を示す図
【図３】本発明の実施の形態１に係る移動無線端末装置のイメージ図
【図４】本発明の実施の形態２に係る移動無線端末装置の構成を示すブロック図
【図５】本発明の実施の形態３に係る移動無線端末装置の構成を組み合わせた態様の移動通信端末装置の構成を示すブロック図
【符号の説明】
【００９０】
１００、４００、５００  移動無線端末装置
１０１  セルラー無線インターフェース
１０２  公衆無線ＬＡＮインターフェース
１０３  無線電力検出部
１０３１  エリア検知部
１０４、４０１、５０１  ネットワーク切替制御部
１０４１、４０１２  特性比較部
１０５  ネットワーク切替表示部
１０６  ユーザ選択部
１０７  スイッチ部
１０８  データ信号処理部
１０９、４０２、５０２  状態選択部
２０１  セルラー無線エリア
２０２  公衆無線ＬＡＮエリア
２０３  セルラー無線ネットワーク
２０４  公衆無線ＬＡＮネットワーク
２０５  インターネット網
２０６  公衆電話網
２０７  異種ネットワーク交換装置
３０１  表示部
３０２  スピーカ
３０３  マイク
３０４  セルラー無線ネットワークの電波状況表示
３０５  公衆無線ＬＡＮネットワークの電波状況表示
３０６  状態選択ボタン
３０７  ネットワーク選択ボタン
３０８  ネットワーク切替を促すための通知表示
４０１  ネットワーク切替制御部
４０１１  速度比較部
４０３  移動速度検出部
【図１】
2005039795.tif 000003
【図２】
2005039795.tif 000004
【図３】
2005039795.tif 000005
【図４】
2005039795.tif 000006
【図５】
2005039795.tif 000007